(57)【特許請求の範囲】
【請求項１】
マルチキャリア・ワイヤレス通信システムにおいて第１のネットワーク・ノードと第２のネットワーク・ノードの間でメッセージを送信するための送信電力を評価する方法であって、前記第１のネットワーク・ノードと前記第２のネットワーク・ノードの間の通信をサポートするために、所定の１組をなす複数のキャリアが利用され、前記所定の１組をなす前記複数のキャリアが、プライマリ・キャリアと、少なくとも１つのセカンダリ・キャリアとを含み、前記方法が、
前記第１のネットワーク・ノードと前記第２のネットワーク・ノードの間でメッセージを前記プライマリ・キャリアにおいて送信できるようにする適切な電力設定を示す初期表示を決定するステップと、
前記第１のネットワーク・ノードと前記第２のネットワーク・ノードの間で送信すべきメッセージが、前記初期表示を受信した後の送信時刻において存在することを判定するステップと、
前記送信時刻において前記第１のネットワーク・ノードと前記第２のネットワーク・ノードの間でメッセージを前記プライマリ・キャリアにおいて送信できるようにする適切な電力設定を前記初期表示に基づいて評価するステップと
を含む方法。
【請求項２】
前記初期表示を決定するステップが、初期ネットワーク・ノード送信電力を決定するステップであって、前記初期送信電力が、前記第１のネットワーク・ノードと前記第２のネットワーク・ノードの間で送信されるフィードバック・ループ電力制御メッセージによって設定される、ステップを含む、請求項１に記載の方法。
【請求項３】
前記評価するステップが、第１のネットワーク・ノードと第２のネットワーク・ノードの間でメッセージを送信するための送信電力を実質的に最大利用可能レベルに設定するステップを含む、請求項１または２に記載の方法。
【請求項４】
前記評価するステップが、前記初期表示の受信と前記送信時刻の間に発生した可能性がある、前記第１のネットワーク・ノードと前記第２のネットワーク・ノードの間の経路損失の変化を推定するステップをさらに含む、請求項１乃至３のいずれか１項に記載の方法。
【請求項５】
前記経路損失の推定が、前記第１のネットワーク・ノードと前記第２のネットワーク・ノードの間で送信されるキャリアにおけるパイロット・チャネルから計算される経路損失に基づく、請求項４に記載の方法。
【請求項６】
前記評価するステップが、前記初期表示の受信と前記送信時刻の間に発生した可能性がある、前記第１のネットワーク・ノードと前記第２のネットワーク・ノードの間のフェージングの変化を推定するステップをさらに含む、請求項１乃至５のいずれか１項に記載の方法。
【請求項７】
前記発生した可能性があるフェージングの変化に、所定の平均値が割り当てられる、請求項６に記載の方法。
【請求項８】
前記初期表示の前記受信と前記送信時刻の間の期間を計算し、前記期間が所定の安定的な期間を超えたかどうかを判定するステップをさらに含む、請求項１乃至７のいずれか１項に記載の方法。
【請求項９】
前記期間が前記所定の期間より長いと判定される場合、前記評価するステップが、前記送信時刻において前記第１のネットワーク・ノードと前記第２のネットワーク・ノードの間でメッセージを前記プライマリ・キャリアにおいて送信できるようにするために、克服すべき干渉を推定するステップをさらに含む、請求項８に記載の方法。
【請求項１０】
前記干渉を推定するステップが、前記送信時刻において前記第１のネットワーク・ノードと前記第２のネットワーク・ノードの間でメッセージを前記プライマリ・キャリアにおいて送信できるようにするために、克服すべき干渉の表示を受信するステップを含む、請求項９に記載の方法。
【請求項１１】
前記送信すべきメッセージが、プライマリ・キャリア無線リンク障害警告メッセージを含む、請求項１乃至１０のいずれか１項に記載の方法。
【請求項１２】
前記送信時刻において前記メッセージを前記適切な電力設定で送信し、その後、前記送信時刻の後、所定の期間にわたって前記メッセージの送信を繰り返すステップをさらに含む、請求項１乃至１１のいずれか１項に記載の方法。
【請求項１３】
独立に電力制御されるセカンダリ・キャリアが利用可能であるかどうかをチェックし、利用可能である場合、前記送信時刻において前記第１のネットワーク・ノードと前記第２のネットワーク・ノードの間で前記送信すべきメッセージを前記利用可能なセカンダリ・キャリアにおいて送信するステップをさらに含む、請求項１乃至１２のいずれか１項に記載の方法。
【請求項１４】
マルチキャリア・ワイヤレス通信システムにおいて第２のネットワーク・ノードにメッセージを送信するための送信電力を評価するように動作可能なネットワーク・ノードであって、前記ネットワーク・ノードと前記第２のネットワーク・ノードの間の通信をサポートするために、所定の１組をなす複数のキャリアが利用され、前記所定の１組をなす前記複数のキャリアが、プライマリ・キャリアと、少なくとも１つのセカンダリ・キャリアとを含み、前記ネットワーク・ノードが、
前記ネットワーク・ノードと前記第２のネットワーク・ノードの間でメッセージを前記プライマリ・キャリアにおいて送信できるようにする適切な電力設定を示す初期表示を決定するように動作可能な電力決定ロジックと、
前記ネットワーク・ノードと前記第２のネットワーク・ノードの間で送信すべきメッセージが、前記初期表示を受信した後の送信時刻において存在することを決定するように動作可能なメッセージ決定ロジックと、
前記送信時刻において前記ネットワーク・ノードと前記第２のネットワーク・ノードの間でメッセージを前記プライマリ・キャリアにおいて送信できるようにする適切な電力設定を前記初期表示に基づいて評価するように動作可能な電力評価ロジックと
を備えるネットワーク・ノード。
【請求項１５】
コンピュータにおいて実行されたときに、請求項１乃至１３のいずれか１項に記載の方法ステップを実行するように動作可能なコンピュータ・プログラム。
【発明の詳細な説明】
【技術分野】
【０００１】
本発明は、マルチキャリア・ワイヤレス通信システムにおいて第１のネットワーク・ノードと第２のネットワーク・ノードの間でメッセージを送信するための送信電力を評価する方法、ネットワーク・ノード、およびコンピュータ・プログラム製品に関する。
【背景技術】
【０００２】
シングルキャリア・ワイヤレス電気通信システムが知られている。それらの知られたシステムでは、例えばモバイル電話などの、ユーザ機器には、地理的エリアによって無線カバレージが提供される。各地理的エリア内には、必要な無線カバレージを提供するために、基地局が配置される。基地局によってサービスされるエリア内のユーザ機器は、基地局から情報およびデータを受信し、基地局に情報およびデータを送信する。高速ダウンリンク・パケット・アクセス（ＨＳＤＰＡ）電気通信ネットワークでは、データおよび情報は、ユーザ機器と基地局の間でデータ・パケットに収めて無線周波数キャリアにおいて送信される。
【０００３】
基地局によってユーザ機器に送信される情報およびデータは、ダウンリンク・キャリアとして知られる無線周波数キャリアに現れる。ユーザ機器によって基地局に送信される情報およびデータは、アップリンク・キャリアとして知られる無線周波数キャリアに現れる。
【０００４】
シングルキャリア・モードで動作する知られたワイヤレス電気通信システムでは、ユーザ機器は、地理的な基地局カバレージ・エリア間を移動することができる。ユーザ機器に提供されるサービスは、無線ネットワーク・コントローラ（ＲＮＣ）によって監視される。無線ネットワーク・コントローラは、ユーザ機器および基地局と通信し、各ユーザ機器が主としてどの基地局に接続されるかを決定する。さらに、ユーザ機器が、１つの基地局によってサービスされる地理的エリアから別の基地局によってサービスされる地理的エリアに移動する場合、無線ネットワーク・コントローラは、基地局およびユーザ機器を制御し、それらと通信するように動作する。
【０００５】
基地局およびユーザ機器が各々、２つ以上のキャリアにおいて同時に送信できるようにすることが提案されている。さらに、ユーザ機器および基地局が、２つ以上のキャリア周波数において同時に受信できるようにすることが提案されている。一般に、各キャリアは、アップリンクおよびダウンリンクの両方とも、基地局によって独立に電力制御される。例えば４つの周波数キャリアなど、２つ以上のダウンリンク・キャリアを提供することで、ユーザ機器に送信されるデータのスループットを高めることが可能である。３つ以上のキャリアを有するネットワークは、「マルチセル高速ダウンリンク・パケット・アクセス」（ＭＣ−ＨＳＤＰＡ）ネットワークと呼ばれることがある。本明細書で使用される「マルチキャリア」という用語は、ネットワークにおいて、２つ、３つ、４つ、またはより多くのダウンリンク（またはアップリンク）キャリアが提供される場合を含むと見なされる。
【発明の概要】
【発明が解決しようとする課題】
【０００６】
マルチキャリア機能を提供する場合、それに関連する問題が生じることがある。したがって、マルチキャリア機能を有するワイヤレス電気通信ネットワークの動作を改善することが望まれる。
【課題を解決するための手段】
【０００７】
第１の態様によれば、マルチキャリア・ワイヤレス通信システムにおいて第１のネットワーク・ノードと第２のネットワーク・ノードの間でメッセージを送信するための送信電力を評価する方法が提供され、第１のネットワーク・ノードと第２のネットワーク・ノードの間の通信をサポートするために、所定の１組をなす複数のキャリアが利用され、所定の１組をなす前記複数のキャリアが、プライマリ・キャリア（ｐｒｉｍａｒｙ  ｃａｒｒｉｅｒ）と、少なくとも１つのセカンダリ・キャリア（ｓｅｃｏｎｄａｒｙ  ｃａｒｒｉｅｒ）とを含み、方法が、第１のネットワーク・ノードと第２のネットワーク・ノードの間でメッセージをプライマリ・キャリアにおいて送信できるようにする適切な電力設定を示す初期表示（ｉｎｉｔｉａｌ  ｉｎｄｉｃａｔｉｏｎ）を決定するステップと、第１のネットワーク・ノードと第２のネットワーク・ノードの間で送信すべきメッセージが、初期表示を受信した後の送信時刻において存在することを判定するステップと、その送信時刻において第１のネットワーク・ノードと第２のネットワーク・ノードの間でメッセージを前記プライマリ・キャリアにおいて送信できるようにする適切な電力設定を初期表示に基づいて評価するステップとを含む。
【０００８】
第１の態様は、マルチキャリア・システムにおいて利用される既存の技法の問題は、プライマリ・キャリアが、例えば電力制御メッセージを含む、必須の制御チャネルを搬送することであることを認識する。プライマリ・キャリアにおいて搬送される電力制御メッセージがしばらくの間受信されない場合、ネットワーク・ノードが無線状態の変化を経験する可能性は高い。そのネットワーク・ノードが、別のネットワーク・ノードにメッセージを送信する必要がある場合、ネットワーク・ノードは、電力設定に関する直近の命令をもはや有していないことがあり、したがって、別のネットワーク・ノードにメッセージを送信しようと試みるのに適した電力設定が分からないことがある。
【０００９】
したがって、第１の態様は、プライマリ・キャリアから得られる通常の電力制御命令がなくても、必要な送信電力の適切な近似値をネットワーク・ノードが推定できるようにして、メッセージが別のネットワーク・ノードに到達することを保証する。典型的には、推定は、送信ネットワーク・ノードが最後に受信した１組の電力制御情報と、その初期電力制御情報を受信して以降の無線状態の変化に関連する電力の変化の推定とに基づく。無線状態の変化に関連する送信電力の変化の推定は、電力制御メッセージがない間は、ネットワーク・ノードが利用可能な、または受信した他の情報から計算することができる。
【００１０】
一実施形態では、初期表示を決定するステップは、初期ネットワーク・ノード送信電力を決定するステップであって、その初期送信電力が、第１のネットワーク・ノードと第２のネットワーク・ノードの間で送信されるフィードバック・ループ電力制御メッセージによって設定されている、ステップを含む。したがって、ネットワーク・ノードが最後に受信した電力制御メッセージは、ネットワーク・ノード間で経験された無線状態を考慮しており、したがって、初期時刻における必要な送信電力に関する情報が、その中に符号化されていることが理解されよう。初期表示を決定するステップは、ネットワーク・ノードの最後の送信電力設定を決定するステップを含むことができる。
【００１１】
ワイヤレス電気通信システムでは、プライマリ・キャリアＤＰＣＣＨまたはＦ−ＤＰＣＨは、送信電力を制御するＴＰＣ（送信電力制御）コマンドを搬送する。ＴＰＣコマンドは、基地局によってユーザ機器に送信され、ユーザ機器にその送信電力を増加または減少させるよう命令する。ＴＰＣコマンドは、例えば、経路損失、干渉、および高速フェージングなどの要因を含む、ネットワーク・ノードによって経験されている無線状態を考慮する。
【００１２】
一実施形態では、評価するステップは、第１のネットワーク・ノードと第２のネットワーク・ノードの間でメッセージを送信するための送信電力を実質的に最大利用可能レベルに設定するステップを含む。一実施形態では、例えばユーザ機器または基地局などの、ネットワーク・ノードは、デフォルトでは最大電力でメッセージを送信するように動作可能である。したがって、ネットワーク・ノードは、送信メッセージが、意図した宛先であるネットワーク・ノードに到達する可能性を最大化する。しかし、そのような動作は、地理的エリア内の他のネットワーク・ノードに対する干渉を引き起こすことがあり、したがって、全体としてはネットワークの動作に悪影響を及ぼすことがある。
【００１３】
一実施形態では、評価するステップは、初期表示の受信と送信時刻の間に発生した可能性がある、第１のネットワーク・ノードと第２のネットワーク・ノードの間の経路損失の変化を推定するステップをさらに含む。したがって、ネットワーク・ノードが互いに相対的に移動した場合、ネットワーク・ノードのそのペア間で送信される無線信号が経験する経路損失に変化が生じる。電力制御命令を用いずに、メッセージを送信するのに適した送信電力を推定するために、電力制御メッセージが安全に受信されて以降に経験した経路損失の変化を、ネットワーク・ノードが近似的に推定または計算することが役立つことがある。そのような推定は、新しい適切な送信電力を設定する助けとなる。
【００１４】
一実施形態では、経路損失の推定は、第１のネットワーク・ノードと第２のネットワーク・ノードの間で送信されるキャリアにおけるパイロット・チャネルから計算される経路損失に基づく。したがって、例えば基地局などの、いくつかのネットワーク・ノードは、パイロット信号またはブロードキャスト信号を継続的に送信するように動作可能である。そのような信号は、Ｃ−ＰＩＣＨ（共通パイロット・チャネル）として知られ、一定の電力で送信される。その継続的な電力信号を監視することで、２つのネットワーク・ノード間の一方向で（例えばダウンリンクにおいて）経験されている経路損失およびフェージングの表示を与えることができる。
【００１５】
一実施形態では、評価するステップは、初期表示の受信と送信時刻の間に発生した可能性がある、第１のネットワーク・ノードと第２のネットワーク・ノードの間のフェージングの変化を推定するステップをさらに含む。
【００１６】
２つのネットワーク・ノードの間の無線伝搬チャネルを介して送信される信号は、例えば、様々な静止物体および運動物体からの反射の結果として、多くの経路を辿って、受信機に到着することがある。様々な伝搬経路の結果として、受信機がそのような信号を受信する機会は２回以上になる。各経路の信号は、異なる時刻に、異なる電力および位相で到着する。各伝搬経路を辿った信号を受信機において合算すると、合算された信号は、経路の位相に応じて減衰または増幅される。第１のネットワーク・ノードと第２のネットワーク・ノードを取り巻く環境が変化するにつれて、複数の経路を辿る信号も変化して、受信される信号に経時的な変動を引き起こす。この特性は、マルチパス・フェージングまたは高速フェージングと呼ばれる。直接的な電力制御は、２つのネットワーク・ノードの間で経験される実際の無線状態を考慮することができるが、直接的な電力制御が利用可能ではない場合、後の時点においてメッセージを正常に送信するために、経験される高速フェージング効果の推定が、最後の実際の電力設定からの変化の推定を評価する場合の助けになることがある。
【００１７】
一実施形態では、発生した可能性のあるフェージングの変化に、所定の平均値が割り当てられる。経験されているフェージングの表示としてパイロット・チャネルを使用することが可能である。しかし、無線周波数が異なる場合、フェージングは異なる仕方で発生し、したがって、ネットワークを稼働させ始めるときに、所定のフェージング・オフセットを割り当てることができ、そのオフセットは、ほとんどのフェージング効果を補償するのに必要な平均電力オフセットを与えるように計算される。
【００１８】
一実施形態では、方法は、初期表示の受信と送信時刻の間の期間を計算し、その期間が所定の安定的な期間を超えたかどうかを判定するステップをさらに含む。
【００１９】
経路損失効果および高速フェージング効果を克服するのに加えて、例えば基地局とユーザ機器など、２つのネットワーク・ノードの間でのメッセージの受信が成功する可能性を最大化するために、新たに選択される推定送信電力は、基地局において経験される干渉を克服して、必要な信号対雑音干渉比（ＳＮＩＲ）を達成しなければならない。典型的には、基地局における干渉は、セルおよび近隣セルのアップリンク負荷に依存する。負荷、したがって、干渉は、基地局によって管理され、したがって、いずれの変化も、高速フェージングおよび経路損失に起因する変化よりもゆっくりと生じる。
【００２０】
１つのネットワーク・ノードにおける干渉は、管理することができ、ゆっくりと変化するので、また典型的には、ＳＮＩＲは、同じ無線チャネルではほぼ同じであるので、それらの要因が実質的に安定的であると見なされる期間内に、新しい電力設定が評価される場合、必要な変化は、主に高速フェージング変化および経路損失変化に起因するとすることができる。
【００２１】
一実施形態では、期間が所定の期間よりも長いと判定される場合、評価するステップは、送信時刻において第１のネットワーク・ノードと第２のネットワーク・ノードの間でメッセージをプライマリ・キャリアにおいて送信できるようにするために、克服すべき干渉を推定するステップをさらに含む。したがって、所定の時間差（ｔｉｍｅ  ｄｅｌｔａ）を超えた場合、ネットワーク・ノードにおいて管理される干渉であっても、初期設定から実質的に変化していないとはもはや見なすことはできない。したがって、所定の期間を超えた場合、実施形態では、ネットワーク・ノードは、他のネットワーク・ノードにおいて経験されている干渉の表示を決定し、ひいては、その干渉を克服するのに必要な電力差（ｐｏｗｅｒ  ｄｅｌｔａ）を決定するために、受信されている情報を復号するように動作する。
【００２２】
一実施形態では、干渉を推定するステップは、送信時刻において第１のネットワーク・ノードと第２のネットワーク・ノードの間でメッセージをプライマリ・キャリアにおいて送信できるようにするために、克服すべき干渉の表示を受信するステップを含む。第１のネットワーク・ノードがユーザ機器であり、第２のネットワーク・ノードが基地局である特定の一実施形態では、基地局における干渉ＩＮＢは、基地局によってＳＩＢ７（システム情報ブロック・タイプ７）メッセージを介してブロードキャストされる。しかし、ＣＥＬＬ＿ＤＣＨにあるＵＥは、ＳＩＢ７メッセージを読まない。したがって、遅延が安定的な期間よりも長くなっていく場合、基地局における干渉を決定するために、ＵＥは、ブロードキャスト・チャネルからＳＩＢ７を復号する必要がある。
【００２３】
一実施形態では、送信されるメッセージは、プライマリ・キャリア無線リンク障害警告（ｒａｄｉｏ  ｌｉｎｋ  ｆａｉｌｕｒｅ  ｗａｒｎｉｎｇ）メッセージを含む。したがって、第１の態様は、ネットワーク・ノード間で送信すべきメッセージが無線リンク障害警告メッセージである場合に、特定の用途を有することがある。ネットワーク・ノードは、無線リンク障害評価モードに入った時点で、すなわち、同期外れ（ｏｕｔ  ｏｆ  ｓｙｎｃ）メッセージの送信を開始したときに、典型的には、その送信機を停止させるようにも動作するが、ネットワーク・ノードは、同期が取れていないので、後続の電力制御メッセージの復号に失敗する。したがって、無線リンク障害警告が送信される場合、典型的には、ネットワーク・ノードの電力制御コマンドは、時間的に遅れている。さらに、ネットワーク・ノードが、無線リンク障害を評価している期間中に移動した場合、その物理的な移動は、必要な送信電力に経路損失の相違に起因する相違を生じさせる。
【００２４】
無線リンク障害警告の場合、動作およびユーザ・エクスペリエンスを維持するための適切なステップを踏むことができるように、メッセージがネットワーク内を伝搬することを保証しようと努めることが特に重要であることが理解されよう。マルチキャリア・ネットワークでは、無線リンク障害メッセージを十分に早く受信すれば、プライマリ・キャリアの地位をセカンダリ・キャリアに移転できること、またユーザ・サービスの中断を最低限に抑えることを保証するために役立てることができる。
【００２５】
実施形態は、無線リンク障害警告が基地局に到達するように、無線リンク障害警告を送信するのに必要な電力量を決定または推定する方法に関する。
【００２６】
一実施形態では、方法は、送信時刻においてメッセージを適切な電力設定で送信し、その後、送信時刻の後、所定の期間にわたってメッセージの送信を繰り返すステップをさらに含む。
【００２７】
状況によっては、例えば無線リンク障害警告メッセージなどの、第１のメッセージは、所定のオフセット値に織り込まれていないディープ・フェード（ｄｅｅｐ  ｆａｄｅ）を第１のネットワーク・ノードが経験しているときに送信されることがあるので、例えば基地局などの、第２のネットワーク・ノードに到達しないことがある。一実施形態では、織り込まれていないディープ・フェージングを克服するために、ＵＥは、例えば無線リンク障害警告などの、メッセージの送信を、１回以上繰り返すように動作可能である。ネットワークは、ＵＥがメッセージの送信を繰り返すことができるように、繰り返しの回数Ｒを伝えることができる。そのような実施形態では、基地局は、第１のメッセージを受信したときに、さらなるメッセージを予期するように動作可能であり、メッセージの復号の信頼性を高めるために、それらのメッセージを組み合わせることができる。
【００２８】
一実施形態では、方法は、独立に電力制御されるセカンダリ・キャリアが利用可能であるかどうかをチェックし、利用可能である場合、送信時刻において第１のネットワーク・ノードと第２のネットワーク・ノードの間で送信されるメッセージを利用可能なセカンダリ・キャリアにおいて送信するステップをさらに含む。
【００２９】
マルチキャリア・ネットワークは、単一のアップリンク・キャリアまたは複数のアップリンク・キャリアを用いて動作することができる。アップリンク・キャリアが複数あるシステムでは、各アップリンク・キャリアは、個別に電力制御される。したがって、１つの可能な解決策は、プライマリ・キャリアに関して送信すべき無線リンク障害警告がある場合、無線リンク障害警告メッセージを基地局に伝送できる利用可能なセカンダリ・キャリアが存在するかどうかを、ユーザ機器が検討することである。
【００３０】
関連するアクティブなアップリンク・キャリアを有するセカンダリ・ダウンリンク・キャリア上の無線リンク障害は、独立に評価される。キャリア間で負荷が異なる可能性を考えると、アップリンク・セカンダリ・キャリアおよびダウンリンク・セカンダリ・キャリアのうちの１つが良好な状態にあり、正しく電力制御されていることがあり得る。この場合、ＵＥは、結果の無線リンク障害警告はどれでも、このセカンダリ・キャリアを使用して送信することができる。いくつかの実施形態では、無線リンク障害メッセージは、プライマリ・キャリアの代わりに使用することが推奨されるセカンダリ・キャリアも含むことができる。
【００３１】
一実施形態では、第１のネットワーク・ノードは、ユーザ機器を含み、第２のネットワーク・ノードは、基地局を含む。
【００３２】
第２の態様は、コンピュータにおいて実行されたときに、第１の態様の方法ステップを実行するように動作可能なコンピュータ・プログラム製品を提供する。
【００３３】
第３の態様は、マルチキャリア・ワイヤレス通信システムにおいて第２のネットワーク・ノードにメッセージを送信するための送信電力を評価するように動作可能なネットワーク・ノードを提供し、このネットワーク・ノードと第２のネットワーク・ノードの間の通信をサポートするために、所定の１組をなす複数のキャリアが利用され、所定の１組をなす前記複数のキャリアが、プライマリ・キャリアと、少なくとも１つのセカンダリ・キャリアとを含み、ネットワーク・ノードが、ネットワーク・ノードと第２のネットワーク・ノードの間でメッセージをプライマリ・キャリアにおいて送信できるようにする適切な電力設定を示す初期表示を決定するように動作可能な電力決定ロジックと、ネットワーク・ノードと第２のネットワーク・ノードの間で送信すべきメッセージが、初期表示を受信した後の送信時刻において存在することを決定するように動作可能なメッセージ決定ロジックと、送信時刻においてネットワーク・ノードと第２のネットワーク・ノードの間でメッセージをプライマリ・キャリアにおいて送信できるようにする適切な電力設定を初期表示に基づいて評価するように動作可能な電力評価ロジックとを備える。
【００３４】
一実施形態では、電力決定ロジックは、初期ネットワーク・ノード送信電力を決定するようにさらに動作可能であり、その初期送信電力は、第１のネットワーク・ノードと第２のネットワーク・ノードの間で送信されるフィードバック・ループ電力制御メッセージによって設定される。
【００３５】
一実施形態では、評価ロジックは、第１のネットワーク・ノードと第２のネットワーク・ノードの間でメッセージを送信するための送信電力を実質的に最大利用可能レベルに設定するように動作可能である。
【００３６】
一実施形態では、評価ロジックは、初期表示の受信と送信時刻の間に発生した可能性がある、第１のネットワーク・ノードと第２のネットワーク・ノードの間の経路損失の変化を推定するように動作可能である。
【００３７】
一実施形態では、経路損失の推定は、第１のネットワーク・ノードと第２のネットワーク・ノードの間で送信されるキャリアにおけるパイロット・チャネルから計算される経路損失に基づく。
【００３８】
一実施形態では、評価ロジックは、初期表示の受信と送信時刻の間に発生した可能性がある、第１のネットワーク・ノードと第２のネットワーク・ノードの間のフェージングの変化を推定するようにさらに動作可能である。
【００３９】
一実施形態では、発生した可能性のあるフェージングの変化に、所定の平均値が割り当てられる。
【００４０】
一実施形態では、ネットワーク・ノードは、前記初期表示の受信と送信時刻の間の期間を計算し、その期間が所定の安定的な期間を超えたかどうかを判定するように動作可能な時間差計算ロジックをさらに備える。
【００４１】
一実施形態では、前記期間が所定の期間よりも長いと判定される場合、評価ロジックは、送信時刻において第１のネットワーク・ノードと第２のネットワーク・ノードの間でメッセージをプライマリ・キャリアにおいて送信できるようにするために、克服すべき干渉を推定するようにさらに動作可能である。
【００４２】
一実施形態では、干渉を推定するステップは、送信時刻において第１のネットワーク・ノードと第２のネットワーク・ノードの間でメッセージを前記プライマリ・キャリアにおいて送信できるようにするために、克服すべき干渉の表示を受信するステップを含む。
【００４３】
一実施形態では、送信されるメッセージは、プライマリ・キャリア無線リンク障害警告メッセージを含む。
【００４４】
一実施形態では、ネットワーク・ノードは、前記送信時刻においてメッセージを適切な電力設定で送信し、その後、送信時刻の後、所定の期間にわたってメッセージの送信を繰り返すように動作可能な送信ロジックおよび受信ロジックをさらに備える。
【００４５】
一実施形態では、ネットワーク・ノードは、独立に電力制御されるセカンダリ・キャリアが利用可能であるかどうかをチェックし、利用可能である場合、送信時刻において第１のネットワーク・ノードと第２のネットワーク・ノードの間で送信されるメッセージを利用可能なセカンダリ・キャリアにおいて送信するように動作可能なセカンダリ・キャリア評価ロジックをさらに備える。
【００４６】
さらなる詳細かつ好ましい態様は、添付の独立請求項および従属請求項において説明される。従属請求項の特徴は、適切な場合には独立請求項の特徴と組み合わせることができ、また請求項において明示的に説明されたもの以外の特徴と組み合わせることができる。
【００４７】
本発明の実施形態が、添付の図面を参照しながら、次にさらに説明される。
【図面の簡単な説明】
【００４８】
【図１】一実施形態による、ワイヤレス電気通信システムを示す図である。
【図２】一実施形態による、ユーザ機器によって実行される無線リンク障害評価を示す図である。
【図３】一実施形態による、ユーザ機器によって実行される明示的な無線リンク障害評価を示す図である。
【図４】無線信号の高速フェージングを概略的に示す図である。
【図５】信号が２０００ＭＨｚで動作する場合にＵＥが毎時３ｋｍで移動している一例における信号電力の高速フェージングを示すグラフである。
【図６】一実施形態による、ユーザ機器の動作を概略的に示す図である。
【図７】一実施形態による、無線リンク障害警告シナリオの概略図である。
【発明を実施するための形態】
【００４９】
図１は、一実施形態による、ワイヤレス電気通信システム１０を示している。ユーザ機器５０は、ワイヤレス電気通信システム内を動き回る。無線カバレージ・エリア３０をサポートする基地局２０が提供される。広いカバレージ・エリアをユーザ機器５０に提供するため、そのような基地局２０が地理的に、多数提供され、配置される。ユーザ機器が、基地局によってサービスされるエリア３０内に存在する場合、ユーザ機器と基地局の間で、関連する無線リンクを介して、通信を確立することができる。典型的には、各基地局は、地理的なサービス・エリア３０内の多くのセクタをサポートする。
【００５０】
典型的には、基地局内の異なるアンテナが、関連する各セクタをサポートする。したがって、各基地局２０は、複数のアンテナを有し、異なるアンテナを介して送信される信号は、セクタ化手法を提供するために、電子的に重み付けされる。もちろん、図１は、典型的な通信システム内に存在し得るすべてのユーザ機器および基地局のうち僅かな一部を示しているにすぎないことが理解されよう。
【００５１】
ワイヤレス通信システムの無線アクセス・ネットワークは、無線ネットワーク・コントローラ（ＲＮＣ）４０によって管理される。無線ネットワーク・コントローラ４０は、バックホール通信リンク６０を介して複数の基地局と通信することによって、ワイヤレス通信システムの動作を制御する。ネットワーク・コントローラは、各基地局を介してユーザ機器５０とも通信する。
【００５２】
無線ネットワーク・コントローラ４０は、基地局２０によってサポートされるセクタ間の地理的な関係についての情報を含む、近隣リスト（ｎｅｉｇｈｂｏｕｒ  ｌｉｓｔ）を維持する。加えて、無線ネットワーク・コントローラ４０は、ワイヤレス通信システム１０内のユーザ機器５０の位置についての情報を提供する、位置情報を維持する。無線ネットワーク・コントローラは、回路交換ネットワークおよびパケット交換ネットワークを介して、トラフィックを回送するように動作可能である。したがって、無線ネットワーク・コントローラが通信できるモバイル交換センタが提供される。モバイル交換センタは、公衆交換電話網（ＰＳＴＮ）７０などの回路交換ネットワークと通信することができる。同様に、ネットワーク・コントローラは、サービス汎用パケット無線サービス・サポート・ノード（ＳＧＳＮ）およびゲートウェイ汎用パケット・サポート・ノード（ＧＧＳＮ）と通信することができる。ＧＧＳＮは、例えばインターネットなどの、パケット交換コアと通信することができる。
【００５３】
典型的には、ユーザ機器５０は、ワイヤレス電気通信ネットワーク内で情報およびデータを再回送できるように、情報およびデータを基地局２０に送信する。例えば、ユーザ機器は、ユーザが電話を掛けるため、または他のデータを送信するために機器を使用しているときに、テキスト・メッセージ、音声情報を中継してもらうために、データを基地局に送信することが必要なことがある。基地局２０は、無線ネットワーク・コントローラ４０によって設定されたパラメータを一緒に用いて、ワイヤレス電気通信ネットワーク１０の動作を最適化することを目的とした方法で、リソースをユーザ機器に割り当てる。
【００５４】
ユニバーサル移動体通信システム（ＵＭＴＳ）では、マルチセル高速ダウンリンク・パケット・アクセス（ＭＣ−ＨＳＤＰＡ）構成が提供される。ＭＣ−ＨＳＤＰＡでは、セクタは、基地局またはノードＢの地理的なカバレージ・エリアとして定義される。セクタは、いくつかのセルから成ることができ、各セルは、セクタと同じ地理的なカバレージをカバーすることを目的とし、送信のために別個の周波数キャリアを使用する。周波数キャリアは、同じ周波数帯内にあることができ、または２つの周波数帯に分散することができる。ＭＣ−ＨＳＤＰＡは、デュアルセル高速ダウンリンク・パケット・アクセス（ＤＣ−ＨＳＤＰＡ）を拡張したものである。ＭＣ−ＨＳＤＰＡでは、ユーザ機器は、４つの異なるセルから最大で４つのダウンリンク送信を同時に受信することができる。したがって、ＭＣ−ＨＳＤＰＡは、ＤＣ−ＨＳＤＰＡおよび（シングルセル）ＨＳＤＰＡのダウンリンク・スループットをそれぞれ２倍および４倍にできる可能性がある。ＭＣ−ＨＳＤＰＡは、ユーザ機器が同時に４つまたは３つのセルからの送信を受信する場合、それぞれ４Ｃ−ＨＳＤＰＡ（４セルＨＳＤＰＡ）または３Ｃ−ＨＳＤＰＡと呼ばれることもある。
【００５５】
マルチキャリア・システムでは、各キャリアは、基地局からユーザ機器までの独立のダウンリンク無線リンクを有する。それらのダウンリンク無線リンクは、各キャリアがユーザ機器までの異なる無線伝搬経路を有する可能性が高いので、独立に管理される。マルチキャリア・モードで動作することが可能なＨＳＤＰＡシステムの場合、３つ以上のダウンリンク・キャリアを提供することができる。マルチキャリア・ネットワークでは、ダウンリンク・キャリアの数は、アップリンク・キャリアの数と一致しないことがあることが理解されよう。さらに、提供されるダウンリンク・キャリアの数は、提供されるアップリンク・キャリアの数の正確に２倍でないことがある。ＨＳＤＰＡマルチキャリア・モードでは、基地局によってサービスされる各セクタは、関連するいくつかのキャリア周波数または「キャリア」を有することができる。キャリアまたはキャリアによってサポートされるセルは、セクタと同じ地理的な領域をカバーする。各セルは、異なるキャリア周波数によってサービスされる。したがって、シングルキャリア・システムでは、セクタはただ１つのセルまたはキャリア周波数しか有さないので、セルはセクタと同等であることが理解されよう。それにも係わらず、マルチキャリア・ネットワークでは、各セクタは、いくつかのセルを含むことができ、各セルは、異なるキャリア周波数によって同時にサービスされる。
【００５６】
ユーザ機器は、Ｉｄｌｅモードまたは無線リソース制御（ＲＲＣ）接続モードにあることができる。Ｃｅｌｌ＿ＤＣＨ状態は、ＲＲＣ接続モード内の状態の１つであり、ユーザ機器は、高いデータ・スループットで送信および受信することができる。ＭＣ−ＨＳＤＰＡ機能は、Ｃｅｌｌ＿ＤＣＨ状態で動作し、この状態では、ユーザ機器およびノードＢは、アップリンクおよびダウンリンクにおいて、物理層同期を維持する。無線リンク障害（ＲＬＦ）は、サービング・ノードＢとのダウンリンク物理層同期が失われたために、ユーザ機器が無線リンク接続を失ったときに発生する。無線リンク障害は、ユーザ機器が、Ｃｅｌｌ＿ＤＣＨ状態を出て、それによって、高いデータ・スループット能力を失う原因となる。ＭＣ−ＨＳＤＰＡでは、無線リンク障害は、ユーザ機器が、単一のセルにおいて低いスループットで動作する原因となる。したがって、無線リンク障害に起因するスループットの低下は、シングルセルＨＳＤＰＡ動作における低下と比較して、ＭＣ−ＨＳＤＰＡではるかに大きくなることがある。無線リンク障害は、特にマルチキャリア・システムにおいて、ユーザ・エクスペリエンスに深刻な影響を有することがある。例えば、４Ｃ−ＨＳＤＰＡネットワークでは、典型的には、マルチキャリア機能をフルに使用するユーザは、例えば高品質ビデオ・ストリーミングなど、高帯域幅サービスを使用しており、プライマリ・キャリアの無線リンク障害は、必要な高いデータ・スループットの低下をもたらす。
【００５７】
ＭＣ−ＨＳＤＰＡでは、プライマリ・キャリアは、必須の制御チャネルを搬送するセルであり、非アクティブにすることはできない。ただ１つのプライマリ・キャリアが存在し、他のセルは、セカンダリ・キャリアと呼ばれる（例えば、セカンダリ・キャリア１、セカンダリ・キャリア２、およびセカンダリ・キャリア３）。ユーザ機器は、セカンダリ・キャリアが完全に機能していても（例えば、負荷が軽くても、またはより良好な無線チャネルを有していても）、プライマリ・キャリア無線リンクが障害を起こした場合は、無線リンク障害を宣言する。セカンダリ・キャリアは、必然的に無線リンク冗長性を提供するが、これらの冗長性は、利用することができない。
【００５８】
プライマリ・キャリアは、無線ネットワーク・コントローラ４０からの無線ベアラ再構成または他のＲＲＣシグナリングを使用して変更することができるが、このプロセスは、通常は遅く、ユーザ機器が無線リンク接続を失いつつある場合、または（例えば、キャリア間の負荷を迅速に管理するために）高速なプライマリ・キャリア変更が必要な場合には、十分でないことがある。典型的には、無線ベアラ再構成または他のＲＲＣシグナリングを使用するプライマリ・キャリアの変更は、イベント２Ｘを使用してトリガされ、遅いことがある。さらに、プロセスは、ユーザ機器の受信を悪化させる圧縮モード（ＣＭ）で、ユーザ機器が動作することを必要とする。プロセスが遅いので、ユーザ機器は、イベント２Ｘを正常にトリガする前に、完全な無線リンク障害に陥る可能性がある。
【００５９】
実施形態は、例えば基地局など、別のネットワーク・ノードに無線リンク障害警告表示が到達する可能性が確実に高まるように、無線リンク障害警告表示が送信される送信電力を設定するための技法を提供し、その結果、今度は、ＭＣ−ＨＳＤＰＡのセカンダリ・キャリアによって提供される必然的な無線リンク冗長性を利用することを可能にして、ユーザ機器に高い無線リンク信頼性を与え、それによって、ネットワークの動作のロバスト性を高める。
【００６０】
プライマリ・キャリア変更−概要
プライマリ・キャリアの変更を必要とするイベントを検出すると、レイヤ１または物理層命令であるＨＳ−ＳＣＣＨ命令を使用して、プライマリ・キャリア変更が送信される。ＨＳ−ＳＣＣＨ命令は、レイヤ１または物理層命令であるので、プライマリ・キャリアの変更は、非常に迅速に達成することができ、例えば、急激なプライマリ・キャリアの悪化が発生した場合、またはキャリア間の負荷平衡が必要な場合に、速やかな変更を行うことができる。そのような切り換えを行うことを可能にするため、ユーザ機器は、プライマリ・キャリアの役割を果たすいずれかのセカンダリ・キャリアを用いて動作できるように事前構成される。これが必要な理由は、ＨＳ−ＳＣＣＨ命令は、無線ネットワーク・コントローラ４０をバイパスするので、別のプライマリ・キャリアで動作するようにユーザ機器を構成するのに必要な無線アクセス・ベアラ（ＲＡＢ）情報が送信されないためである。そのようなＲＡＢ事前構成では、必要なＲＡＢ情報は、関連するＨＳ−ＳＣＣＨ命令が送信された場合に使用するために、セットアップ中（例えば、ユーザ機器が新しいサービング・ノードＢに移動したとき）にユーザ機器に送信される。ＨＳ−ＳＣＣＨ命令は、この命令の適切なビット・フィールドを使用して、キャリア変更情報を符号化することができる。
【００６１】
典型的には、ＨＳ−ＳＣＣＨ命令は、潜在的なプライマリ・キャリアとしてノードＢに選択されたセカンダリ・キャリアにおいて送信され、ＨＳ−ＳＣＣＨ命令は、既存のプライマリ・キャリアが非アクティブ化されることを知らせる。この手法の利点は、新しいＨＳ−ＳＣＣＨ命令を定義しなくてすむ（すなわち、特別なシグナリング・メッセージを必要としない）こと、既存のプライマリ・キャリアは貧弱な無線状態になる可能性が高く（したがって、それを変更する必要があり）、プライマリ・キャリアにおいて送信された場合、受信されないことがあるが、ＨＳ−ＳＣＣＨ命令は、より良好な無線状態を有する可能性が高い潜在的なプライマリ・キャリア（すなわち、セカンダリ・キャリアの１つ）から来るので、ユーザ機器に到達する可能性がより高いこと、ノードＢは、同じＨＳ−ＳＣＣＨ命令で、プライマリ・キャリアの変更に加えて、他のセカンダリ・キャリアをアクティブ化／非アクティブ化できること、および無線ネットワーク・コントローラ４０がバイパスされるので、迅速なプライマリ・キャリア変更が可能であることである。
【００６２】
ＨＳ−ＳＣＣＨ命令を受信すると、ユーザ機器は、ノードＢに確認応答を送信し、指定された時間内にプライマリ・キャリアをノードＢによって指定された周波数キャリア（すなわち、既存のセカンダリ・キャリアの１つ）に変更することを開始する。プライマリ・キャリア変更が完了したとき、ユーザ機器は、無線ネットワーク・コントローラ４０にプライマリ変更確認メッセージを送信する。ノードＢも、ユーザ機器から確認応答を受信すると、そのユーザ機器のためのプライマリ・キャリアの変更について、無線ネットワーク・コントローラ４０に通知することができる。こうすることで、任意選択的に、ユーザ機器が無線ネットワーク・コントローラ４０に確認メッセージを送信しなくてすむようにすることができる。
【００６３】
以下でより詳細に言及するように、実施形態では、ユーザ機器は、一過性のイベントに起因するプライマリ・キャリアの不必要な変更を行わずにすむように、所定の期間、プライマリ・キャリアの変更を留保することができる。変更の必要がない場合、ユーザ機器は、プライマリ・キャリアの変更が生じないことをノードＢに通知する。
【００６４】
イベント検出
ユーザ機器は、プライマリ・キャリア変更が必要なことをネットワークに警告するインジケータを明示的または暗黙的に提供する。典型的には、ユーザ機器は、通信の低下または中断をもたらし得るイベントが発生する前に、プライマリ・キャリアの変更が必要になる可能性があることを、ネットワークに警告する必要がある。例えば、ユーザ機器は、無線リンク障害が発生する前に、プライマリ・キャリアの変更を実行できるように、無線リンク障害が発生する可能性があることを警告する必要がある。
【００６５】
無線リンク障害
ユーザ機器によって実行される無線リンク障害評価が、図２に要約されている。ステップＳ１０において、Ｃｅｌｌ＿ＤＣＨにあるユーザ機器は、ダウンリンクＤＰＣＣＨ（個別物理制御チャネル）またはＦ−ＤＰＣＨ（フラクショナル個別物理チャネル）の品質を判定することによって、ダウンリンク物理層（レイヤ１）同期を継続的にチェックする。ユーザ機器の同期が取れている場合、ユーザ機器は、同期プリミティブ（ｉｎ−ｓｙｎｃ  ｐｒｉｍｉｔｉｖｅ）ＣＰＨＹ−Ｓｙｎ−ＩＮＤを送信し、ユーザ機器の同期が取れていない場合、ユーザ機器は、同期外れプリミティブ（ｏｕｔ−ｏｆ−ｓｙｎｃ  ｐｒｉｍｉｔｉｖｅ）ＣＰＨＹ−Ｏｕｔ−ｏｆ−Ｓｙｎｃ−ＩＮＤをＲＲＣレイヤに送る。
【００６６】
ＲＲＣレイヤでは、ステップＳ２０において、ユーザ機器が連続するＣＰＨＹ−Ｏｕｔ−ｏｆ−Ｓｙｎｃ−ＩＮＤプリミティブの数をカウントし、その数が閾値Ｎ３１３を上回った場合、ステップＳ３０において、タイマＴ３１３が起動される。
【００６７】
ステップＳ４０において、ＲＲＣレイヤが物理層からＮ３１５個の連続するＣＰＨＹ−Ｓｙｎ−ＩＮＤプリミティブを受け取った場合、タイマＴ３１３が停止およびリセットされる。
【００６８】
ステップＳ５０において、（典型的には３秒後に）Ｔ３１３が満了したかどうかについての判定が行われ、満了した場合、ステップＳ６０において、ユーザ機器は無線リンク障害を宣言する。
【００６９】
ユーザ機器は、ＤＲｘ（不連続受信）を実行している場合、ＣＰＨＹ−Ｓｙｎｃ−ＩＮＤプリミティブまたはＣＰＨＹ−Ｏｕｔ−ｏｆ−Ｓｙｎｃ−ＩＮＤプリミティブを送信しない。最大でＮ３１５個の連続するＣＰＨＹ−Ｓｙｎｃ−ＩＮＤプリミティブまたはＮ３１３個の連続するＣＰＨＹ−Ｏｕｔ−ｏｆ−Ｓｙｎｃ−ＩＮＤプリミティブまで行われるカウントでは、紛失した同期プリミティブは無視される。
【００７０】
明示的な無線リンク障害警告
図３は、ネットワークに明示的な警告を送信できる一実施形態を示している。ステップＳ９０において、警告が送信されるが、ステップＳ７０において、物理層からＮＷＡＲＮ個のＣＰＨＹ−Ｏｕｔ−ｏｆ−Ｓｙｎｃ−ＩＮＤプリミティブを連続して受け取ったと判定されると直ちに、警告が行われる。ＮＷＡＲＮがＮ３１３よりも小さく設定された場合、ネットワークがユーザ機器のプライマリ・キャリアをより速やか変更することを可能にする、早期の警告が提供される。
【００７１】
これによって、ユーザ機器はタイマＴ３１３の満了を待つ必要がなくなるので、サービス中断をより短くすることができる。しかし、これによって、時期尚早の警告がもたらされ、または非常に多くの不必要なプライマリ・キャリア変更がトリガされることがある。これを回避するため、ＮＷＡＲＮをＮ３１３よりも大きく設定することができるが、こうすると、連続するＣＰＨＹ−Ｏｕｔ−ｏｆ−Ｓｙｎｃ−ＩＮＤがＮＷＡＲＮ個に達する前に、タイマＴ３１３の満了が起こることがある。これは、ＵＥが同期品質を評価せず、したがって、いかなる同期プリミティブも送信しないＤＲｘをＵＥが実行しているときに、起きる可能性がより高くなる。
【００７２】
代替として、無線リンク障害警告は、タイマＴ３１３が値ＴＷＡＲＮを超えたときに、送信することができる。ＴＷＡＲＮは、Ｔ３１３が起動されたときに起動され、タイマＴ３１３の満了時刻よりも早い満了時刻を有する、別のタイマである。ＴＷＡＲＮとＴ３１３はともに、同じ時刻に停止およびリセットされる。Ｔ３１３タイマは、Ｎ３１５個の連続するＣＰＨＹ−Ｓｙｎｃ−ＩＮＤプリミティブを受け取った場合に停止およびリセットすることができるので、ＴＷＡＲＮ基準を使用すると、既存のプライマリ・キャリアの無線リンクが回復した場合には、ネットワークへの無線リンク障害警告をキャンセルすることができる。対照的に、ＮＷＡＲＮ基準を使用した場合、無線リンク障害警告はキャンセルすることができない。
【００７３】
無線リンク障害が発生する可能性があることの警告を提供するのに加えて、ユーザ機器は（例えばパイロットにおいて）すべてのセカンダリ・キャリアの定期的な測定を実行するので、無線リンク障害警告メッセージは、既存の（障害のある）プライマリ・キャリアに取って代わるのにどのセカンダリ・キャリアが最適になるかについてのユーザ機器の判断も、ネットワークに知らせるべきである。
【００７４】
明示的な無線リンク障害警告は、２つの方法のうちの一方で送信することができる。第１の方法は、ＲＲＣメッセージの使用である。ＲＲＣはより高位のレイヤで行われるので、このメッセージがネットワークに到達し、ネットワークに作用するのに十分な時間的余裕がＴＷＡＲＮとＴ３１３の間に生じるように、ＴＷＡＲＮを設定する必要がある。第２の方法は、Ｅ−ＤＰＣＣＨ（Ｅ−ＤＣＨ個別物理制御チャネル）を使用する予約Ｅ−ＴＦＣＩ（Ｅ−ＤＣＨトランスポート・フォーマット・コンビネーション・インジケータ）の使用である。これは、ＲＲＣレベルよりも高速な物理層において送信され、ノードＢからの迅速な反応を可能にする。Ｅ−ＴＦＣＩは、７ビットの長さを有し、Ｅ−ＤＰＤＣＨ（Ｅ−ＤＣＨ個別物理データ・チャネル）内に含まれるアップリンクＨＳＵＰＡデータ・パケットを復号するのに必要な情報を含むが、いくつかのＥ−ＴＦＣＩは、使用されていない（すなわち、将来使用するために予約されている）ので、無線リンク障害警告を符号化するために利用することができる。
【００７５】
暗黙的な無線リンク障害警告
ネットワークは、ユーザ機器が無線リンク障害に陥りつつあるかどうかは分からないが、ユーザ機器から各キャリアの測定値を受け取る。したがって、ネットワークは、プライマリ・キャリアが閾値を超えて悪化しているかどうかを暗黙的に決定することができ、既存のプライマリ・キャリアに取って代わるのに適したセカンダリ・キャリアを（あれば）決定することもできる。（単独でまたは組み合わせて）使用できる測定値は、以下の通りである。
【００７６】
各キャリアのＣＰＩＣＨの品質を表す、ユーザ機器の測定報告を使用することができる。これは、ＲＲＣレベルで行われ（すなわち、無線ネットワーク・コントローラにおいて解釈され）、ネットワークは、あまり迅速には応答することができない。さらに、セカンダリ・キャリアの測定は、周波数間測定として構成する必要があることがあるが、これは、あまり頻繁に更新されず、状況によっては測定すらされないこともある。
【００７７】
各キャリアにおける無線リンクの品質に基づいて、ユーザ機器がサポートできるスループット（トランスポート・ブロック・サイズ）を表す、チャネル品質情報（ＣＱＩ）を使用することができる。これは、物理層においてキャリア毎にＨＳ−ＤＰＣＣＨ（高速個別物理制御チャネル）によって送信される。ＣＱＩは、通常はユーザ機器の測定報告のレートよりも高いレートで、定期的に送信される。ＣＱＩはノードＢにおいて解釈されるので、ノードＢは、プライマリ・キャリアを変更すべきかどうかを決定する必要がある。ユーザ機器は、プライマリ・キャリアのＣＱＩがゼロを上回っている場合でも、プライマリ・キャリアのＣＱＩをＣＱＩ＝０と符号化し、これをノードＢに送信することによって、無線リンク障害が発生する可能性があることをノードＢに暗黙的に警告することができる。これは、（明示的な無線リンク障害に関連して上で説明したように）ＮＷＡＲＮ基準またはＴＷＡＲＮ基準が満たされた場合に送信することができる。ゼロのＣＱＩは、ユーザ機器がＭＩＭＯ（Ｍｕｌｔｉｐｌｅ−Ｉｎ  Ｍｕｌｔｉｐｌｅ−Ｏｕｔ：多入力多出力）で構成されている場合を除いて、通常は「圏外（Ｏｕｔ  ｏｆ  Ｒａｎｇｅ）」を表す（ＭＩＭＯでは実際のトランスポート・ブロック・サイズに対するサポートを表す）。しかし、ＭＩＭＯは非常に高品質の無線リンクを必要とするので、無線リンク障害が発生する可能性を経験しているユーザ機器がＭＩＭＯモードにある可能性は低く、またノードＢは、ユーザ機器がＭＩＭＯを使用しているかどうかを知っている。ＣＱＩ基準の一例は、ノードＢが連続するＣＱＩ＝０の数をカウントし、それが閾値ＮＣＱＩを上回った場合、ノードＢがＨＳ−ＳＣＣＨを使用してプライマリ・キャリア変更を実行するというものである。
【００７８】
（例えばＣＱＩ＝０を使用する）暗黙的な無線リンク障害警告は、ユーザ機器が無線リンク障害を経験していることを推定するためのネットワーク（例えばノードＢ）の能力に依存する。ノードＢが、（例えば、大きなＮＣＱＩ閾値を有するせいで）無線リンク障害が発生する可能性があることを検出するのが遅すぎた場合、ユーザ機器は、プライマリ・キャリアの変更が行われる前に、無線リンク障害を宣言することがある。他方、プライマリ・キャリアの変更をあまりにも早く実行するノードＢは、頻繁に不必要なプライマリ・キャリア変更を引き起こすことがある。しかし、ユーザ機器はプライマリ・キャリアになるのに十分な強さを有する周波数キャリアを常に選択するので、頻繁なプライマリ・キャリア変更は、潜在的な無線リンク障害を防止し、またはユーザ機器がＴ３１３タイマを起動する必要さえもなくし、それによって、ユーザ機器の全体的なスループットを改善できる可能性がある。
【００７９】
無線伝搬
図４は、無線信号の高速フェージングを概略的に示している。図４に示されるように、基地局２０から無線伝搬チャネルを介してＵＥ５０に送信される信号は、例えば、様々な静止物体および運動物体からの反射の結果として、多くの経路を辿って、受信機５０に到着することがある。様々な伝搬経路の結果として、受信機５０がこの信号を受信する機会は２回以上になる。図４では、３つの経路Ｓ（ｔ１）、Ｓ（ｔ２）、およびＳ（ｔ３）が示されている。各経路の信号は、異なる時刻に、異なる電力および位相で到着する。各伝搬経路を辿った信号を受信機において合算すると、合算された信号は、経路の位相に応じて減衰または増幅される。
【００８０】
ＵＥとその環境が変化するにつれて、複数の経路を辿る信号も変化して、受信される信号に経時的な変動を引き起こす。この特性は、マルチパス・フェージングまたは高速フェージングと呼ばれる。
【００８１】
図５は、信号が２０００ＭＨｚで動作する場合にＵＥが毎時３ｋｍで移動している一例における信号電力の高速フェージングを示している。図５は、ユーザ機器５０によって受信される信号が、短い時間間隔の間であっても、高速フェージングによって大きく変動し得ることを示している。
【００８２】
先に説明したように、ＵＥ５０は、ＤＰＣＣＨ（個別物理制御チャネル）またはＦ−ＤＰＣＨ（フラクショナル個別物理チャネル）の同期を、所定の期間よりも長く、典型的には約１６０ｍｓよりも長く失った場合に、同期の喪失を知らせる同期外れメッセージ（すなわち、ＣＰＨＹ−Ｏｕｔ−ｏｆ−Ｓｙｎｃ−ＩＮＤ）のＲＲＣレイヤへの送信開始を開始する。
【００８３】
ＤＰＣＣＨまたはＦ−ＤＰＣＨは、ＵＥ送信電力を制御するＴＰＣ（送信電力制御）コマンドを搬送する。
【００８４】
ＵＥ５０が無線リンク障害評価モードに入った時点で、すなわち、ＵＥ５０が同期外れメッセージを送信し始めたときに、典型的には、ＵＥは、その送信機を停止させるように動作し、ＵＥのＲＲＣレイヤは、完全な無線リンク障害がないか評価し始める。したがって、無線リンク障害警告が送信される場合、典型的には、ＴＰＣコマンドは、少なくとも１６０ｍｓは時間的に遅れている。
【００８５】
図５によって示されるように、１６０ｍｓまたはより長い期間の間に、典型的には、ＵＥは、高速フェージング効果を経験し、１６０ｍｓ後にフェージング効果を克服するのに必要な電力は、最後にＴＰＣコマンドを受信した時に追加の効果（ａｄｄｉｎｇ  ｅｆｆｅｃｔ）を克服するのに必要な電力とは大きく異なることがある。図５に示される例示的な１６０ｍｓの期間の間に、５．６ｄＢの相違が生じる。
【００８６】
無線リンク障害警告を送信するタイミングは、ネットワークの稼働開始時に選択されたＮＷＡＲＮ基準またはＴＷＡＲＮ基準に依存するので、典型的には、無線リンク障害警告は、最後にＴＰＣコマンドを受信してから１６０ｍｓよりも長い遅延を経て送信される。
【００８７】
さらに、ＵＥ  ＲＲＣレイヤが無線リンク障害を評価している期間中に、ＵＥが移動した場合、その物理的な移動は、必要な送信電力に経路損失の相違に起因するさらなる相違を生じさせる。
【００８８】
実施形態は、無線リンク障害警告が基地局に到達するように、無線リンク障害警告を送信するのに必要な電力量を決定または推定するための方法に関する。
【００８９】
無線リンク障害警告メッセージ送信電力評価
マルチキャリア・ネットワークは、単一のアップリンク・キャリアまたは複数のアップリンク・キャリアを用いて動作することができる。アップリンク・キャリアが複数あるシステムでは、各アップリンク・キャリアは、個々に電力制御される。したがって、１つの可能な解決策は、プライマリ・キャリアに関して送信すべき無線リンク障害警告がある場合、無線リンク障害警告メッセージを基地局に伝送できる利用可能なセカンダリ・アップリンク・キャリアが存在するかどうかを、ユーザ機器が検討することである。
【００９０】
関連するアクティブなアップリンク・キャリアを有するセカンダリ・ダウンリンク・キャリア上の無線リンク障害は、独立に評価される。キャリア間で負荷が異なる可能性を考えると、アップリンク・セカンダリ・キャリアおよびダウンリンク・セカンダリ・キャリアのうちの１つが良好な状態にあり、正しく電力制御されていることがあり得る。この場合、ＵＥは、結果の無線リンク障害警告はどれでも、このセカンダリ・キャリアを使用して送信することができる。いくつかの実施形態では、無線リンク障害メッセージは、プライマリ・キャリアの代わりに使用することが推奨されるセカンダリ・キャリアも含むことができる。
【００９１】
ただ１つのアップリンク・キャリアしか利用可能でない場合、無線リンク障害警告を送信したいＵＥは、その警告メッセージを送信するのに必要な送信電力を推定する必要がある。一実施形態では、ＵＥは、デフォルトではそのようなメッセージを最大電力で送信するように動作可能である。そのような動作は、アップリンクにおいて他のＵＥに対する干渉を引き起こすことがあり、したがって、全体としてはネットワークの動作に悪影響を及ぼすことがある。
【００９２】
経路損失効果および高速フェージング効果を克服するのに加えて、基地局における無線リンク障害警告の受信が成功する可能性を最大化するために、選択される送信電力は、基地局において経験される干渉を克服して、必要な信号対雑音干渉比（ＳＮＩＲ）を達成しなければならない。基地局における干渉は、セルおよび近隣セルのアップリンク負荷に依存する。負荷、そしてその結果として、干渉は、基地局によって管理され、したがって、いずれの変化も、高速フェージングに起因する変化よりもゆっくりと生じる。
【００９３】
基地局によってＵＥに送信されるＴＰＣコマンドは、ＵＥにその送信電力を増加または減少させるよう命令する。ＴＰＣコマンドは、経路損失、高速フェージング、および干渉を考慮し、したがって、（ＴＰＣコマンドによって間接的に設定される）ＵＥ送信電力は、この情報を含む。
【００９４】
したがって、ｄＢｍ単位のＵＥ送信電力ＰＴＸは、
ＰＴＸ＝ＳＮＩＲ＋ＩＮＢ＋ＧＰＡＴＨ＋ＧＦＡＤＥ＋Ｃ
式１
と表すことができる。ここで、
ＳＮＩＲは、基地局において信号を正しく受信するのに必要な、ｄＢ単位の必要な信号対雑音干渉比であり、
ＩＮＢは、基地局におけるｄＢ単位の干渉であり、
ＧＰＡＴＨは、基地局とＵＥの間の経路損失であり、
ＧＦＡＤＥは、ＵＥにおけるフェージングであり、
Ｃは、必要な電力にオフセットを提供する定数である。もちろん、この項は、ゼロとすることができる。
【００９５】
ＵＥのアップリンクＤＰＣＣＨだけが電力制御される。例えば、ＨＳ−ＤＰＣＣＨ、Ｅ−ＤＰＣＣＨ、およびＥ−ＤＰＤＣＨなどの、他のアップリンク物理チャネルのための送信電力は、アップリンクＤＰＣＣＨの送信電力から導出される。
【００９６】
ＩＮＢは管理され、ゆっくりと変化するので、また典型的には、ＳＮＩＲは同じ無線チャネルではほぼ同じであるので、式１で与えられるＵＥ送信電力ＰＴＸは、ＧＰＡＴＨとＧＦＡＤＥの関数になる。したがって、短い期間ＴＤＥＬＡＹで考えた場合、ＰＴＸは近似的に
ＰＴＸ＝Ｋ＋ＧＰＡＴＨ＋ＧＦＡＤＥ
式２
によって与えられると仮定することができる。ここで、Ｋ＝ＳＮＩＲ＋ＩＮＢ＋Ｃであり、短い期間ＴＤＥＬＡＹ内では定数である。定数Ｋの情報は、有効なＴＰＣに基づいた最後のＵＥ送信電力から獲得することができる。この電力をＰＴＸ−ＴＰＣとすると、
ＰＴＸ−ＴＰＣ＝ＳＮＩＲ＋ＩＮＢ＋ＧＰＡＴＨ−ＴＰＣ＋ＧＦＡＤＥ−ＴＰＣ＋Ｃ
＝Ｋ＋ＧＰＡＴＨ−ＴＰＣ＋ＧＦＡＤＥ−ＴＰＣ
式３
と表され、ここで、
ＧＰＡＴＨ−ＴＰＣは、最後の有効なＴＰＣが受信された時の経路損失であり、
ＧＦＡＤＥ−ＴＰＣは、最後の有効なＴＰＣが受信された時のフェージングである。
【００９７】
Ｋについて式３を解き、式２に代入すると、
ＰＴＸ＝ＰＴＸ−ＴＰＣ＋ＧＰＡＴＨ−ＧＰＡＴＨ−ＴＰＣ＋ＧＦＡＤＥ−ＧＦＡＤＥ−ＴＰＣ
＝ＰＴＸ−ＴＰＣ＋ΔＧＰＡＴＨ＋ΔＧＦＡＤＥ
式４
が得られる。ここで、
ΔＧＰＡＴＨ＝ＧＰＡＴＨ−ＧＰＡＴＨ−ＴＰＣは、経路損失の変化であり、
ΔＧＦＡＤＥ＝ＧＦＡＤＥ−ＧＦＡＤＥ−ＴＰＣは、フェージングの変化である。
【００９８】
したがって、最後に受信した有効なＴＰＣと無線リンク障害警告の送信の間の遅延が、ＴＤＥＬＡＹよりも短い場合、ＵＥ送信電力ＰＴＸは、経路損失およびフェージングの変化を追跡するだけで導出することができる。
【００９９】
基地局パイロットＣ−ＰＩＣＨ（共通パイロット・チャネル）は、一定の電力で送信され、したがって、ダウンリンクにおける経路損失およびフェージングの表示を与える。ＦＤＤ（周波数分割複信）においては、アップリンクとダウンリンクは異なる周波数で動作するので、アップリンクにおけるフェージングは、ダウンリンクにおけるフェージングとは異なっている可能性が高い。
【０１００】
基地局Ｃ−ＰＩＣＨは、フェージングを推定する際には有効でないことがあるが、それでもなお、ＵＥと基地局の間の経路損失の表示を与える。したがって、経路損失の変化ΔＧＰＡＴＨは、ＵＥにおけるＣ−ＰＩＣＨ受信電力の変化ΔＰＣ−ＰＩＣＨに比例すると見なすことができる。
【０１０１】
アップリンクにおけるフェージングを追跡しようと試みる代わりに、実施形態では、フェージングは、ＣＦＡＤＥ（ｄＢ単位）によって与えられる量だけ増やされた電力を送信することによって克服される。この値ＣＦＡＤＥは、ＵＥに伝えることができ、ネットワークまたはユーザ機器を稼働させ始めるときに設定することができる。
【０１０２】
したがって、遅延がＴＤＥＬＡＹよりも短い場合、送信電力は、
ＰＴＸ＝ＰＴＸ−ＴＰＣ＋ΔＰＣ−ＰＩＣＨ＋ＣＦＡＤＡ
式５
である。
【０１０３】
与えられた実施のための遅延ＴＤＥＬＡＹは、ネットワークによってＵＥに伝えられる。
【０１０４】
遅延がＴＤＥＬＡＹよりも長い場合、基地局における干渉ＩＮＢは、もはや定数であると見なすことはできない。
【０１０５】
干渉ＩＮＢは、基地局によってＳＩＢ７（システム情報ブロック・タイプ７）メッセージを介してブロードキャストされる。しかし、ＣＥＬＬ＿ＤＣＨにあるＵＥは、ＳＩＢ７メッセージを読まない。したがって、遅延がＴＤＥＬＡＹよりも長くなっていく場合、基地局における干渉を決定するために、ＵＥは、ブロードキャスト・チャネルからＳＩＢ７を復号する必要がある。無線リンク障害警告は、ＰＲＡＣＨ（物理ランダム・アクセス・チャネル）のために使用されるものに類似したオープン・ループ電力制御を使用して、送信することができる。ＵＥは、（Ｃ−ＰＩＣＨ送信電力ＰＴＸ−ＣＰＩＣＨとＵＥにおける受信電力ＰＲＸ−ＣＰＩＣＨの間の差によって与えられる）経路損失を算出する。Ｃ−ＰＩＣＨ送信電力は、ＳＩＢ（５、５ｂｉｓ、または６）を介してＵＥにブロードキャストされる。したがって、遅延がＴＤＥＬＡＹよりも長い場合のＰＴＸ電力は、
ＰＴＸ＝ＰＴＸ−ＣＰＩＣＨ−ＰＲＸ−ＣＰＩＣＨ＋ＩＮＢ＋ＣＯＬ
式６
であり、ここで、
ＣＯＬは、このオープン・ループ電力制御方法で使用される定数であり、これはＵＥに伝えることができる。
【０１０６】
状況によっては、第１の無線リンク障害警告は、所定の値ＣＦＡＤＥに織り込まれていないディープ・フェードにＵＥがあるときに送信されることがあるので、基地局に到達しないことがある。一実施形態では、織り込まれていないディープ・フェードを克服するために、ＵＥは、無線リンク障害警告の送信を１回以上繰り返すように動作可能である。ネットワークは、ＵＥが無線リンク障害警告の送信を繰り返すことができるように、繰り返しの回数Ｒを伝えることができる。そのような実施形態では、基地局は、第１の無線リンク障害警告を受信したときに、さらなる無線リンク障害警告メッセージを予期するように動作可能とすることができ、メッセージの復号の信頼性を高めるために、それらの無線リンク障害警告を組み合わせることができる。
【０１０７】
図６は、一実施形態による、ユーザ機器の動作を概略的に示している。ＵＥが無線リンク障害評価に入り、無線リンク障害警告メッセージを送信すべきであると決定した場合、メッセージを送信すべき送信電力は、図６で説明されるプロセスに従って決定することができる。ステップＳ１において、ＵＥは、第２のアクティブなアップリンク・キャリアが存在するかどうか、またＵＥがアクティブなアップリンク・セカンダリ・キャリアを使用してＲＬＦ警告を送信できるかどうかを判定する。アップリンク・セカンダリ・キャリアが利用可能である場合、ＵＥは、最良のアップリンク・セカンダリ・キャリアを使用して、無線リンク障害警告を送信するように動作可能である（ステップＳ２）。最良のアップリンク・セカンダリ・キャリアの評価は、例えば、最良のＣＱＩを有するセカンダリ・キャリアの決定に基づくことができる。ステップＳ３に示されるように、ＵＥは、無線リンク障害警告の送信を繰り返すように動作可能である。
【０１０８】
ステップＳ１において、アップリンク・セカンダリ・キャリアが存在しないとＵＥが判定した場合、ＵＥは、ステップＳ４に従って、最後の有効ＴＰＣの受信と無線リンク障害警告メッセージを送信すべき時刻の間の遅延がＴＤＥＬＡＹよりも長いかどうかを判定するように動作可能である。遅延がＴＤＥＬＡＹよりも長くない場合、ＵＥは、ステップＳ５において、式５を使用して送信電力ＰＴＸを導出するように動作可能である。遅延がＴＤＥＬＡＹよりも長い場合、ＵＥは、ステップＳ６において、アップリンク干渉ＩＮＢを獲得するためにＳＩＢ７の読み取りを開始し、式６のオープン・ループ電力制御方法を使用して送信電力ＰＴＸを導出する（ステップＳ７）ように動作可能である。
【０１０９】
ＵＥは、ステップＳ３に示されるように、無線リンク障害警告の送信を繰り返すように動作可能である。実施形態では、典型的には、再送は、同じ送信方法または電力を使用し、すなわち、警告が、最初あるアップリンク・セカンダリ・キャリアを使用して送信された場合、繰り返しも、同じアップリンク・セカンダリ・キャリアを使用する。
【０１１０】
代替実施形態では、ステップＳ１において、アクティブな第２のアップリンク・キャリアが存在しないとＵＥが判定した場合、ＵＥは、無線リンク障害警告を最大送信電力で送信し（ステップＳ１０）、その後、ステップＳ３において、その送信を繰り返すように動作可能とすることもできる。
【０１１１】
図７は、一実施形態による、無線リンク障害警告シナリオの概略図である。図７は、基地局ＮＢ２に所属するＵＥ５０を示している。ＵＥ５０は、２つの基地局ＮＢ１とＮＢ２の間に提供されるカバレージの重複領域内に所在する。ＮＢ１は、周波数Ｆ１およびＦ２だけで動作するが、ＮＢ２は、Ｆ１、Ｆ２、Ｆ３、およびＦ４を用いる４Ｃ−ＨＳＤＰＡで動作する。ＵＥのプライマリ・キャリアはＦ１であり、セカンダリ・キャリア１（ＳＣ１）はＦ２であり、セカンダリ・キャリア２（ＳＣ２）はＦ３であり、セカンダリ・キャリア３（ＳＣ３）はＦ４である。ＵＥは、１つのアップリンク・キャリアを有するだけである。ネットワークは、式５および式６を計算するのに必要な定数である、ＴＤＥＬＡＹ、ＣＦＡＤＥ、ＣＯＬ、およびＲ（ＲＬＦ警告が繰り返される回数）をＵＥに伝える。
【０１１２】
ＮＢ１もＦ１およびＦ２で動作するので、カバレージ重複領域では、ＵＥは、Ｆ１およびＦ２において、より高い干渉を経験し、説明されるシナリオでは、ＵＥ５０は、Ｆ１を用いるプライマリ・キャリアにおいて同期を失う。ＵＥは、最初にＦ−ＤＰＣＨ（またはＤＰＣＣＨ）の同期を失ったとき、最新の送信電力ＰＴＸ−ＴＰＣを保存し、最後の有効ＴＰＣの受信時における受信Ｃ−ＰＩＣＨ電力ＰＲＸ−ＣＰＩＣＨ−ＴＰＣも保存する。Ｆ−ＤＰＣＨ（またはＤＰＣＣＨ）の同期外れが、１６０ｍｓにわたって継続し、ＵＥは、ＣＰＨＹ−Ｏｕｔ−ｏｆ−Ｓｙｎｃ−ＩＮＤプリミティブをＵＥのＲＲＣレイヤに送信し始め、ＲＲＣレイヤは、無線リンク障害がないか評価を開始する。
【０１１３】
図３による無線リンク障害警告評価が、ＵＥ５０によって実施され、示されるシナリオでは、ＵＥは、無線リンク障害警告メッセージを送信すべきであると決定する。この場合、最後の有効ＴＰＣコマンドと無線リンク障害警告を送信すべきとの決定の間の遅延は、ＴＤＥＬＡＹよりも短い。したがって、図６に示されるプロセスによれば、ＵＥは、式５を使用して、無線リンク障害警告のために必要な送信電力を計算する。ＵＥは、保存したＰＲＸ−ＣＰＩＣＨ−ＴＰＣの値と、受信Ｃ−ＰＩＣＨの電力ＰＲＸ−ＣＰＩＣＨとを使用して、以下のようにΔＰＣ−ＰＩＣＨを計算し（すべてｄＢ単位）、
ΔＰＣ−ＰＩＣＨ＝ＰＲＸ−ＣＰＩＣＨ−ＴＰＣ−ＰＲＸ−ＣＰＩＣＨ
式７
ここで、
ＰＲＸ−ＣＰＩＣＨは、無線リンク障害警告を送信すべきとの決定が下された時点における受信Ｃ−ＰＩＣＨの電力である。
【０１１４】
保存したＰＴＸ−ＴＰＣの値、伝えられた値ＣＦＡＤＥ、および式７を使用すると、その結果、ＵＥは、式５を使用して送信電力ＰＴＸを計算することができる。その後、ＵＥは、電力ＰＴＸで無線リンク障害警告の送信を別にＲ−１回繰り返す。
【０１１５】
様々な上述の方法のステップがプログラムされたコンピュータによって実行できることは、当業者には容易に理解できよう。本明細書では、いくつかの実施形態が、機械またはコンピュータ可読であり、機械実行可能またはコンピュータ実行可能の命令からなるプログラムを符号化する、例えばデジタル・データ記憶媒体などの、プログラム記憶デバイスを包含することも意図されており、前記命令は、前記上述の方法のステップの一部または全部を実行する。プログラム記憶デバイスは、例えば、デジタル・メモリ、磁気ディスクおよび磁気テープなどの磁気記憶媒体、ハード・ドライブ、または光学的に可読なデジタル・データ記憶媒体などとすることができる。実施形態は、上述の方法の前記ステップを実行するようにプログラムされたコンピュータを包含することも意図されている。
【０１１６】
「プロセッサ」または「ロジック」と呼ばれる任意の機能ブロックを含む、図に示された様々な要素の機能は、専用ハードウェアの他、適切なソフトウェアと連携するソフトウェア実行可能なハードウェアの使用を通して提供することができる。プロセッサによって提供される場合、機能は、単一の専用プロセッサによって、単一の共用プロセッサによって、またはいくつかは共用可能な複数の個々のプロセッサによって提供することができる。さらに、「プロセッサ」または「コントローラ」または「ロジック」という用語が明示的に使用されていても、ソフトウェアを実行可能なハードウェアに排他的に言及していると解釈すべきではなく、限定することなく、デジタル信号プロセッサ（ＤＳＰ）ハードウェア、ネットワーク・プロセッサ、特定用途向け集積回路（ＡＳＩＣ）、フィールド・プログラマブル・ゲート・アレイ（ＦＰＧＡ）、ソフトウェアを記憶するためのリードオンリメモリ（ＲＯＭ）、ランダム・アクセス・メモリ（ＲＡＭ）、および不揮発性ストレージを暗黙的に含むことができる。従来型および／またはカスタマイズされた他のハードウェアも含むことができる。同様に、図に示されるスイッチはいずれも、概念的なものにすぎない。それらの機能は、プログラム・ロジックの動作を通して、専用ロジックを通して、プログラム制御と専用ロジックの対話を通して、または手動でさえも実行することができ、文脈からより具体的に理解されるように、特定の技法は、実施者が選択することができる。
【０１１７】
本明細書のブロック図はいずれも、本発明の原理を具現する例示的な回路の概念図を表していることを、当業者であれば理解されたい。同様に、フローチャート、フロー図、状態遷移図、疑似コードなどはいずれも、様々なプロセスを表し、様々なプロセスは、コンピュータ可読媒体内に実質的に表され、そのため、コンピュータまたはプロセッサが明示的に示されているかどうかに係わらず、そのようなコンピュータまたはプロセッサによって実行できることが理解されよう。
【０１１８】
説明および図面は、本発明の原理を説明するものにすぎない。したがって、本明細書で明示的に説明または提示されていないが、本発明の原理を具現し、本発明の主旨および範囲内に含まれる様々な構成を、当業者であれば考案できることが理解されよう。さらに、本明細書で挙げたすべての例は、本発明の原理および当技術分野を発展させるために発明者（ら）が提供した概念を理解し易いように、明らかにもっぱら教示を目的とすることを主に意図しており、そのような具体的に挙げられた例および条件に限定されるものではないと解釈されるべきである。さらに、本発明の原理、態様、および実施形態について述べた本明細書のすべての言明、ならびにそれらの具体例は、それらの均等物を包含することが意図されている。
【図１】
0005575336.tif 000002
【図２】
0005575336.tif 000003
【図３】
0005575336.tif 000004
【図４】
0005575336.tif 000005
【図５】
0005575336.tif 000006
【図６】
0005575336.tif 000007
【図７】
0005575336.tif 000008